(57)【要約】【課題】回路一体型モータにおいて、電子部品の発熱による高出力化への妨げを解決し、電子部品に対し温度上昇の抑制効果を得ることが可能な小型で高性能なブラシレスモータを得ることを目的とする。【解決手段】ロータフレーム１１の天面に対向し近接配置した自冷ファン１５に外周面開口部１６を配設し、外周面開口部１６から誘導排出される冷却風の流路１９上に電子部品又は電子部品を取り付けた放熱体を配置するよう構成されている。【選択図】  図１
2005033922.tif 000002
【特許請求の範囲】
【請求項１】
ロータ軸と、このロータ軸に固定され、内側にマグネットを取り付けたロータフレームと、前記ロータ軸を回転可能に支承する軸受と、この軸受を保持するハウジングと、前記マグネットと空隙を介して対向配置されるコアとこのコアに絶縁層を介して巻回される巻線とからなるステータと、このステータの巻線に供給する電流を制御する制御回路を構成する電子部品を実装するプリント基板と、このプリント基板を保持し前記ハウジングを保持するモータプレートとからなるブラシレスモータにおいて、プリント基板上の電子部品と前期ハウジングとを直線で結ぶ直線上に前記電子部品の幅の少なくとも１／２以上の大きさの穴をプリント基板上に配設したことを特徴としたブラシレスモータ。
【請求項２】
前記プリント基板上の穴に、モータプレートの一部を折り曲げて形成した爪部を挿入して配設したことを特徴とする請求項１記載のブラシレスモータ。
【請求項３】
前記プリント基板と前記モータプレートとをネジで固定するモータプレートの切り起こし部を、プリント基板上の電子部品と前期ハウジングとを結ぶ直線上に配置したことを特徴とする請求項１記載のブラシレスモータ。
【請求項４】
前記プリント基板上の電子部品と前記ハウジングとを結ぶ直線上にハウジングからの輻射熱を遮蔽する部品を半田付け又はネジ止めにより設置したことを特徴とする請求項１記載のブラシレスモータ。
【請求項５】
前記モータのモータプレートの電子部品の真上に位置する部分に切り欠き又は穴を設置したことを特徴とする請求項１から請求項３のいずれか１項に記載のブラシレスモータ。
【発明の詳細な説明】
【０００１】
【発明の属する技術分野】
本発明はＰＰＣやＬＢＰ等のＯＡ器機に使用されるブラシレスモータの構造に関するものである。
【０００２】
【従来の技術】
従来、ブラシレスモータとしては、冷却効果を得る為に電子部品を取り付けた放熱体を配置したものが知られている（例えば、特許文献１参照）。
【０００３】
図２に従来の自冷ファン付きモータの構造を示す。図２において、１はハウジングで軸受け２と軸受け３を保持する。４はモータプレ−トで、プリント基板５を切り起こし部２２でネジ１８により保持するとともにハウジング１をカシメ付けにより保持する。６はコアで、絶縁層７を介して巻線８が施されステ−タを構成する。９はネジで、コア６を貫通しハウジング１に締め付けられ、ステ−タとハウジング１を圧接固定する。１０はロ−タ軸で、コア６の外周方向に空隙を介して配置したマグネットを接着保持したロ−タフレ−ム１１を圧入固定しハウジング１に外輪を保持された軸受け２及び軸受け３の内輪に圧入固定される。１２は電子部品で、ネジ２０により放熱板２１に固定されプリント基板５に共に実装される。１５は自冷ファンでロ−タ軸１０に固定する。
【０００４】
以上のように構成されたブラシレスモ−タにおいて、巻線に流れる電流の大きさに比例して巻線が発熱し、発熱した巻線はロータ軸と一体で回転する自冷ファンによる冷却風によって、プレートとハウジングとコアと絶縁層を介し冷却され温度上昇を防ぐことが出来る。
【０００５】
また、自冷ファン１５の外径をロータフレーム１１の外径よりも大きくし、ロータの外周に配置した電子部品１２や放熱板２１と自冷ファン１５が対向する構成にすることによって、ファンによる送風の直接の流路１９に電子部品や放熱板を配置することができ、電子部品や放熱板に対しても大きな冷却効果を得ることが出来る。
【０００６】
【特許文献１】
特開２０００−５０５７５号公報（第６頁、図１）
【０００７】
【発明が解決しようとする課題】
しかしながら、上記従来の構成では、反ロータ側に配置された電子部品に対しては冷却効果が得られず、更にプリント基板の反ロータ側に配置された電子部品は熱源である巻線あるいは巻線を施されたコアと締結されたハウジング、更にハウジングに締結されたモータプレートからの輻射熱により温度が上昇し、モータに流せる電流量が制約を受けモータ出力を大きく出来ないという課題があった。
【０００８】
本発明は、このような従来の課題を解決するものであり、安価に、電子部品の温度上昇を抑制し高出力で小型なブラシレスモータを提供することを目的とする。
【０００９】
【課題を解決するための手段】
上記課題を解決するために本発明は、プリント基板上の電子部品とハウジングとを結ぶ直線上に、ハウジングからの輻射熱を直接遮蔽する部品を設置又は対象となる電子部品の幅の少なくとも１／２以上の大きさの穴を配設、或いは電子部品の真上のモータプレートを切り欠いたものである。
【００１０】
これにより、熱源である巻線あるいは巻線を施されたコアと締結されたハウジング、更にハウジングに締結されたモータプレートからの輻射熱による電子部品の温度上昇を防ぐことが可能な高出力で小型なブラシレスモータを提供できる。
【００１１】
【発明の実施の形態】
本発明の請求項１に記載の発明は、巻線が施されたコアを保持するハウジングを有するブラシレスモータにおいて、電子部品と前期ハウジングとを結ぶ直線上に対象となる電子部品の幅の少なくとも１／２以上の大きさの穴をプリント基板上に配設したものであり、プリント基板上の穴部より空気流が発生しハウジングからの輻射熱が電子部品の温度を上昇させる事を抑制するという作用を有する。
【００１２】
請求項２に記載の発明は、電子部品とハウジングとを結ぶ直線上に設けられたプリント基板上の穴にモータプレートの一部を折り曲げて挿入する様に配設したもので、前記ハウジングからの輻射熱をモータプレートを折り曲げた部分で直接遮蔽するとともに、プリント基板上の穴部から気流をより効率的に発生させ、ハウジングからの輻射熱が電子部品の温度を上昇させる事を抑制するという作用を有する。
【００１３】
請求項３に記載の発明は、プリント基板とハウジングに固定されたモータプレートとをネジにより固定するモータプレートの切り起こし部を、プリント基板上の電子部品と前期ハウジングとを結ぶ直線上に配置したものであり、プリント基板上のスペースを従来品と同等としながらハウジングから電子部品への輻射熱を直接遮蔽し、電子部品の温度を上昇させる事を抑制するという作用を得ることができる。
【００１４】
請求項４に記載の発明は、電子部品とハウジングとを結ぶ直線上にハウジングからの輻射熱を直接遮蔽する部品を半田付け又はネジ止めにより設置したものであり、モータプレートの形状に電子部品の配置場所を拘束されることなくハウジングから電子部品への輻射熱を直接遮蔽し電子部品の温度を上昇させる事を抑制するという作用を得ることができる。
【００１５】
請求項５に記載の発明は、ハウジングに固定されたモータプレートの電子部品の真上に位置する部分に切り欠き又は穴を配設したものであり、モータプレートからの輻射熱を抑制するとともにモータプレートの切り欠け部又は穴部より空気流を発生させハウジング及びモータプレートからの輻射熱が電子部品の温度を上昇させる事を抑制するという作用を有する。
【００１６】
【実施例】
以下本発明の実施例について、図面を参照して説明する。
【００１７】
（実施例１）
図１において、１はハウジングで軸受け２と３を保持する。４はモータプレ−トで、プリント基板５をネジ１８により保持しハウジング１をカシメ付けにより保持する。６はコアで、絶縁層７を介して巻線８が施されステ−タを構成する。９はネジでコア６を貫通し、ハウジング１に締め付けられステ−タとハウジング１を圧接固定する。１０はロ−タ軸で、コア６の外周方向に空隙を介して配置したマグネットを接着保持したロ−タフレ−ム１１を圧入固定しハウジング１に外輪を保持された軸受け２及び３の内輪に圧入固定される。１５は自冷ファンでロータ軸１０に固定される。１２は電子部品で、プリント基板５の反ロータ側に実装される。１３はプリント基板５に設けられた穴で、電子部品１２とハウジング１を結んだ直線上に配置されている。１４はモータプレート４を折り曲げて形成した爪部で、プリント基板５の穴１３に挿入される位置に配設されている。１７はモータプレート４に設けられた穴で、電子部品１２の真上に配設されている。
【００１８】
以上のように構成されたブラシレスモータにおいて、巻線８に流れる電流の大きさに比例して巻線８が発熱し、コア６を介してハウジング１から発せられた輻射熱をモータプレートの一部を折り曲げて形成した爪部１４により遮蔽するとともに、プリント基板５に設けた穴１３からモータプレート４に設けられた穴１７に流れる気流によってもハウジング１よりの熱を遮蔽することにより電子部品１２の温度が上昇することを防ぐことができる。また、モータプレートの穴１７はモータプレート４から電子部品１２への輻射熱も軽減している。
【００１９】
また、自冷ファン１５の外周に外周面開口部１６からの、冷却風の流路１９をプリント基板の穴１３の方向に形成することによって、プリント基板の穴１３からモータプレートの穴１７へ流れる気流が強制的に発生され、その流路上に配置した電子部品１２を直接冷却することができ、大きな冷却効果を得ることができる。
【００２０】
【発明の効果】
上記実施例の記載から明らかなように、請求項１記載の発明によれば、プリント基板上の電子部品とハウジングとを直線で結ぶ線上に前記電子部品の幅の少なくとも１／２以上の大きさの穴を回路基板上に設置し、空気の流路をハウジングと電子部品の間に形成することにより、ハウジングから電子部品への輻射熱を遮蔽し、電子部品の温度上昇の抑制効果が得られる。
【００２１】
また、請求項２記載の発明によれば、プリント基板上の電子部品とハウジングとを直線で結ぶ線上に設置した穴に、モータプレートの一部を折り曲げて挿入した爪部により、ハウジングから電子部品への輻射熱を直接遮蔽し、更にモータプレートに折り曲げ部を形成する為に切り抜いた穴部と回路基板上に設置した穴により、空気の流路が形成されハウジングから電子部品への輻射熱の遮蔽効果と電子部品を直接冷却することによる温度上昇の抑制効果が得られる。
【００２２】
また、請求項３記載の発明によれば、プリント基板とハウジングに固定されたモータプレートとを固定するモータプレートの切り起こし部を、回路基板上の電子部品と前期ハウジングとを直線で結ぶ線上に配置したものであり、回路基板上のスペースを従来品と同等としながらハウジングから電子部品への輻射熱を直接遮蔽するし、電子部品の温度を上昇させる事を抑制するという効果を得られるものである。
【００２３】
また、請求項４記載の発明によれば、電子部品と前期ハウジングとを直線で結ぶ線上にハウジングからの輻射熱を直接遮蔽する部品を半田付け又はネジ止めにより設置したことにより、モータプレートの形状に電子部品の配置を拘束されることなくハウジングから電子部品への輻射熱を直接遮蔽し、電子部品の温度を上昇させる事を抑制することができるものである。
【００２４】
また、請求項５記載の発明によれば、ハウジングに固定されたモータプレートの電子部品の真上に位置する部分に切り欠き又は穴を配設したことにより、モータプレートから電子部品への輻射熱を抑制するとともにモータプレートの切り欠け部又は穴部より空気流を発生させハウジング及びモータプレートからの輻射熱が電子部品の温度を上昇させる事を抑制するという作用を有するものである。
【００２５】
また、プリント基板に穴を設けた上記請求項１および請求項２に記載の発明において、自冷ファンを具備し空気流の一部をプリント基板の穴内部に誘導すればより大きな電子部品の温度上昇抑制効果が得られることは言うまでも無い。
【図面の簡単な説明】
【図１】本発明の実施例１によるブラシレスモータを示す構造図
【図２】従来の自冷ファン付きモータを示す構造図
【符号の説明】
１  ハウジング
２、３  軸受け
４  モータプレート
５  プリント基板
６  コア
７  絶縁層
８  巻線
９、１８、２０  ネジ
１０  ロータ軸
１１  ロータフレーム
１２  電子部品
１３  プリント基板の穴
１４  モータプレートの折り曲げ爪部
１５  自冷ファン
１６  外周面開口部
１７  モータプレートの穴
１９  冷却風の流路
２１  放熱板
２２  モータプレートの切起こし部
【図１】
2005033922.tif 000003
【図２】
2005033922.tif 000004